(57)【要約】ファイリングした書類を出すことなく、書類ホルダーを見るだけで使用時期、日程、使用するときにまとめた経緯、目的等が容易にわかるようにした書類ホルダーの提供。  【解決手段】合成樹脂のシートを重合し、少なくとも一縁が開口され、書類をファイリングするための書類ホルダー１であって、一方の面１１に設けられた前記書類ホルダー１の概要を示す写真、絵図が表示される概要表示部と、他方の面２１に設けられ、所望の日を基点とする所望の期間のカレンダーが表示されるカレンダー表示部２３と、書類ホルダーに整理された書類に関するデータの書き込みができる書き込み部２２とを設け、前記書類を前記書類ホルダー１から出すことなく、前記書類に関する日程、概要を確認できる。  【選択図】  図２
0003102574.tif 000002
【実用新案登録請求の範囲】
【請求項１】
合成樹脂のシートを結合または折り曲げて重合可能とし、少なくとも一縁が開口され、書類を挟み込んで収納するための書類ホルダーであって、
前記合成樹脂のシートの一方の面に設けられ、前記書類ホルダーに収納される書類の概要を示す写真、絵図、文字が表示される概要表示部と、
前記合成樹脂のシートの他方の面に設けられ、所望の日を基点とする所望の期間のカレンダーが表示されるカレンダー表示部と、
前記一方の面または前記他方の面の少なくとも一方に設けられ、前記書類ホルダーに収納された前記書類に関するデータの書き込みができる書き込み部と
を設け、前記書類を前記書類ホルダーから出すことなく、前記書類に関する少なくとも日程を含むデータを確認できるようにしたことを特徴とする書類ホルダー。
【請求項２】
請求項１に記載した書類ホルダーであって、
前記カレンダーは、書類作成日または書類受け取り日を基点とする所望の期間のカレンダーであることを特徴とする書類ホルダー。
【請求項３】
請求項２に記載した書類ホルダーであって、
前記書類は、映画館、美術館を含むイベント会場を観賞または観劇するためのチケットを含む書類であり、
前記カレンダーは、前記チケットの使用可能期間を含む期間のカレンダーであることを特徴とする書類ホルダー。
【請求項４】
請求項３に記載された書類ホルダーであって、
前記カレンダー表示部は、使用者が所望のデータを書き込み可能になっていることを特徴とする書類ホルダー。
【考案の詳細な説明】
【技術分野】
【０００１】
本考案は、書類をまとめてファイリング（収納）する書類ホルダーに関し、特に、書類ホルダーの表面にカレンダー部、書き込み（インデックス）部等を設け、日程等の管理を容易に行えるようにした書類ホルダーに関する。
【背景技術】
【０００２】
書類をまとめてファイリング（収納）する書類ホルダーとして、透明、半透明の樹脂シートをＬ字状に接合し、開口側から書類を挟みこんでファイリングする方式の書類ホルダーはよく知られている。また、このような書類ホルダーにおいて、整理を容易にするためラベル、見出し等を設けたものもあった。このような例として、ホルダーのＰＯＳシステム用のバーコード表示部にタイトルラベルを切り離し可能に設け、このタイトルラベルに適宜の表示が付された後ホルダーの貼り付け面に接着するものがあった（例えば、特許文献１）。シートホルダーのプラスチックフィルムの一辺に見出しが取り外し可能に設けられたものもあった（例えば、特許文献２）。
また、ファイルの表面に、このファイルに収納する種々のサービス等のイメージを表す写真、図形、文字等を表示するできるものもあった（例えば、特許文献３、特許文献４）。また、美術館、映画館等で観賞、観劇記念用として、または、事務所内等で目立つように、絵画や映画の画像等が表示された書類ホルダーも販売されている。
【０００３】
一方、映画館、劇場、美術館等イベント会場では、チケット（観劇券、観賞券等）の前売り等が行われている。前売りチケット購入時には、チケットとパンフレットが渡されることが多い。すなわち、チケットの保管をいい加減にしてしまうとチケットがどこにあるのかわからなくなってしまうおそれがあった。さらに、従来の書類ホルダーにファイリングすると、保管はできてもそのイベント（映画上映、絵画展示等）の開催時期（開始日、終了日等）を忘れてしまうと、観賞、観劇等に行くタイミングを逸してしまうおそれもあった。
しかしながら、上記した従来の技術には、ファイリングした書類を使用する日程、予定管理などを容易にするためのカレンダー等の表示を行ったものがなかった。書類を使用する日程、予定等は、書類ホルダーから書類を出し、書類の記載内容と室内のカレンダー等を見れば確認できることであるが、そのために、いちいち、書類を書類ホルダーから出して確認するのは面倒な作業であった。
【０００４】
そこで、書類をたんにファイリングするだけでなく、書類の使用時期、日程、書類をまとめたときの経緯、目的等を、書類を種類ホルダーから出して見ることなく、書類ホルダーを見るだけで明らかにすることができる書類ホルダーが求められていた。
【０００５】
【特許文献１】特許第２８１２２６０号公報
【特許文献２】実開平７−２８６７３号公報
【特許文献３】特開２０００−１４１９６７号公報
【特許文献４】特開２０００−３３５１５３号公報
【考案の開示】
【考案が解決しようとする課題】
【０００６】
本考案は、このような社会的、技術的背景に基づいてなされたものであり、次のような目的を達成する。本考案の目的は、書類ホルダーに見出し部、カレンダー部を設け、書類ホルダーを見るだけで書類の使用時期、日程、書類作成時の経緯、目的、内容等が容易にわかるようにした書類ホルダーを提供することにある。
【課題を解決するための手段】
【０００７】
本考案は、上記目的を達成するために次の手段をとる。即ち、
本考案１の書類ホルダーは、合成樹脂のシートを結合または折り曲げて重合可能し、少なくとも一縁が開口され、書類を挟み込んで収納するための書類ホルダーであって、前記合成樹脂のシートの一方の面に設けられ、この書類ホルダーの概要を示す写真、絵図、文字が表示される概要表示部と、前記合成樹脂のシートの他方の面に設けられ、所望の日を基点とする所望の期間のカレンダーが表示されるカレンダー表示部と、前記一方の面または前記他方の面の少なくとも一方に設けられ、前記書類ホルダーに収納された前記書類に関するデータの書き込みができる書き込み部とを設け、前記書類を前記書類ホルダーから出すことなく、前記書類に関する少なくとも日程を含むデータを確認できるようにしたことを特徴としている。
【０００８】
本考案２の書類ホルダーは、本考案１において、
前記カレンダーは、書類作成日または書類受け取り日を基点とする所望の期間のカレンダーであることを特徴としている。
【０００９】
本考案３の書類ホルダーは、本考案２において、
前記書類は、映画館、美術館を含むイベント会場を観賞または観劇するためのチケットを含む書類であり、前記カレンダーは、チケットの使用可能期間を含む期間のカレンダーであることを特徴としている。
【００１０】
本考案４の書類ホルダーは、本考案３において、
前記カレンダー表示部は、使用者が所望のデータを書き込み可能になっていることを特徴としている。
【考案の効果】
【００１１】
本考案の書類ホルダーは、書き込み部、カレンダー表示部を設けたことで、ファイリングした書類を出すことなく、使用時期、使用するときにまとめた経緯、目的等が容易にわかるようにした。また、カレンダーが表示されているので日程管理（期日管理）が容易にできる。さらに、このカレンダーは、書類作成日を基準として作成してあるので、日程管理が容易である。
書類ホルダーに収納される書類が前売り鑑賞券等の場合には、観賞期間等の日程が書類ホルダーを見るだけで一目瞭然であり、観賞忘れを生じさせない。
【考案を実施するための最良の形態】
【００１２】
以下、本考案の実施の形態を図面に従って説明する。
図１は、本考案の書類ホルダーを一方の面側から見た概要図、図２は、本考案の書類ホルダーの他方の面を示す図、図３は、本考案の書類ホルダーの他方の面の他の実施の形態を示す図である。
書類ホルダー１は、透明または半透明の合成樹脂（例えば、ポリプロビレン、ポリエチレン・テレフタレート）のシートで形成されるホルダー本体１０からなる。合成樹脂のシートは、透明または半透明であることが好ましいが、これに限定されることはない。ホルダー本体１０の側部すなわち長辺部は折り曲げ部１２となっており、ホルダー本体１０は折り曲げ部１２で折り曲げられ、一方の面１１、他方の面２１が重合するように構成される。ホルダー本体１０の下部（下辺部）１３は、接合、融着またはヒートシール等で結合されている。なお、ホルダー本体１０は、長辺部が折り曲げでなく接合、融着またはヒートシール等で結合されているものであってもよい。
【００１３】
ホルダー本体１０の一方の面１１は概要表示部であり、この書類の内容、概要、あるいは提供しようとするサービス、商品のイメージ等を示す写真、図形、文字等概要図（概要データ）１５が印刷等され表示されている。
ホルダー本体１０の他方の面２１には、上部側に書き込み部（インデックス部）２２が設けられている。この書き込み部２２には、書き込み可能な紙等の部位が貼り付けられている。そのため、使用者が、書類名、この書類作成の経緯、目的等を鉛筆、ボールペン等筆記用具で記入することができる。また、書き込み部２２は鉛筆で書き込むと、消しゴムで書き込みデータを消すこともできる。なお、書き込み部２２を紙等の部位を貼り付けたものとして説明を行っているが、合成樹脂のシートの所望の位置に、書き込み可能なスクリーン印刷等印刷によって設けられたものであってもよい。このスクリーン印刷に関する技術は、登録実用新案第３０３８７５２号公報等で公知な技術でありここでは詳細な説明を省略する。また、この実施の形態では、書き込み部２２は、他方の面２１に設けたものとして説明を行ったが、一方の面１１に設けられていてもよく、一方の面１１、他方の面２１の両方に設けられていてもよい。
【００１４】
さらに、他方の面２１の中央から下部側にわたってカレンダー表示部（以下、カレンダー部と記載）２３が設けられている。この実施の形態では、年間カレンダーとして、２００４／２から２００５／１の月日が印刷等され表示されている。このカレンダーは、カレンダー部２３の上段に２００４年２月、３月、４月、５月のカレンダーが、中段に６月、７月、８月、９月のカレンダーが、下段に１０月、１１月、１２月、２００５年１月のカレンダーが表示されている。このカレンダーは、書類作成日（この実施の形態では、２００４年２月）を基点にした年間カレンダーとしている。なお、年間カレンダーの表示のための基点日は他の日であってもよい。すなわち、書類受け取り日、書類使用日を基点にしたもの等であってもよい。さらに、年間カレンダーを表示しているが、半年、３ヶ月のカレンダーなど適宜の期間のカレンダーであってもよい。また、このカレンダーは他方の面２１に印刷等して表示していると説明したが、書き込み可能な紙等にカレンダーを印刷して他方の面２１に貼り付けたもの、書き込み可能なスクリーン印刷をしたもの等であってもよい。このようにすると、使用者自身の日程管理も容易となる。
【００１５】
この書類ホルダー１の使用方法を説明する。
映画の前売り鑑賞券（チケット）を購入した場合を例にして説明を行う。前売り鑑賞券を購入した人には、パンフレット、書類ホルダー１等がいっしょに配布される。一方の面１１には、上映予定のビジュアル画像を表示し、他方の面２１には、書き込み部（インデックス部）２２を設けるとともにカレンダー部２３に年間カレンダーを表示している。この年間カレンダーには、上映予定期間の月日を表示したり、ＤＶＤの販売時期などを表示することができるため販売促進に好適である。また、購入した人は、概要表示部の概要図と、書き込み部２２に自分でわかるようなメモ等を書き込んでおくことで、この書類ホルダー１を見つけるのが容易である。また、年間カレンダーを見ることで上映期限を逸することがない。さらに、カレンダーが書き込み可能な部位に表示されたものであれば、ここにメモ等をかきこんでもよい。
【００１６】
また、書類が、企画案件用書類や報告書等である場合には、この書類ホルダーを次のように活用することができる。すなわち、カレンダー部２３、書き込み部２２を活用して、プレゼンテーション時期、発表時期に合わせスケジュール化した整理・収納を効率的に行うことができる。また、書類作成時の経緯、目的等を記入しておくと、効果的に収納保管することができる。
【００１７】
図３は、カレンダー部２３ａにカレンダーの他の実施の形態を表示した図である。この実施の形態では、他方の面２１のほぼ全体をカレンダー部２３ａとして年間カレンダーを表示し、上から２００４年２月、３月と順に２００５年１月まで表示している。このようにすると、カレンダー部２３ａの表示が大きくなり表示が見やすくなる。なお、どちらのカレンダーの表示が良いかは、使用者の好みによって選択されるのが好ましい。
【００１８】
また、この実施の形態では、書類ホルダーをＬ字状に結合したもので説明を行っているが、Ｕ字状に結合されたものであってもよい。すなわち、書類ホルダーは少なくとも一縁が開口可能でここから書類の出し入れをするとともに、内部に収納可能になっていればよい。さらに、合成樹脂のシートを透明または半透明のものとして説明を行っているが、これに限定されることはない。
【図面の簡単な説明】
【００１９】
【図１】図１は、本考案の書類ホルダーを一方の面側からみた概要図である。
【図２】図２は、本考案の書類ホルダーの他方の面を示す図である。
【図３】図３は、本考案の書類ホルダーの他方の面の他の実施の形態を示す図である。
【符号の説明】
【００２０】
１…書類ホルダー
１０…ホルダー本体
１１…一方の面
１２…折り曲げ部
１３…下部
２１…他方の面
２２…書き込み部（インデックス部）
２３、２３ａ…カレンダー表示部
【図１】
0003102574.tif 000003
【図２】
0003102574.tif 000004
【図３】
0003102574.tif 000005